【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】  ネットワークに接続する接続工程と、前記ネットワークを介して電子メールを受信するメール受信工程と、前記受信工程により受信した受信メールを記録媒体に出力する出力工程と、前記出力工程により前記受信メールを出力する際の文字コードを設定する文字コード設定工程と、前記受信メールのメールヘッダに文字コード（ｃｈａｒｓｅｔ）設定の記述が無い場合に前記文字コード設定工程により設定された文字コードにより前記受信メールを出力するように制御する制御工程とを有することを特徴とする情報処理方法。
【請求項２】  ネットワークに接続する接続手段と、前記ネットワークを介して電子メールを受信するメール受信手段と、前記受信手段により受信した受信メールを記録媒体に出力する出力手段と、前記出力手段により前記受信メールを出力する際の文字コードを設定する文字コード設定手段と、前記受信メールのメールヘッダに文字コード（ｃｈａｒｓｅｔ）設定の記述が無い場合に前記文字コード設定手段により設定された文字コードにより前記受信メールを出力するように制御する制御手段とを有することを特徴とする情報処理装置。
【請求項３】  ネットワークに接続する接続工程と、前記ネットワークを介して電子メールを受信するメール受信工程と、前記受信工程により受信した受信メールをメモリに蓄積するメモリ工程と、前記受信メールを記録媒体に出力する出力工程と、前記受信メールのメールヘッダに文字コード（ｃｈａｒｓｅｔ）設定の記述が無い場合に前記出力工程による前記受信メールの出力を行わずに前記メモリに蓄積するように制御する制御工程とを有することを特徴とする情報処理方法。
【請求項４】  ネットワークに接続する接続手段と、前記ネットワークを介して電子メールを受信するメール受信手段と、前記受信手段により受信した受信メールをメモリに蓄積するメモリ手段と、前記受信メールを記録媒体に出力する出力手段と、前記受信メールのメールヘッダに文字コード（ｃｈａｒｓｅｔ）設定の記述が無い場合に前記出力手段による前記受信メールの出力を行わずに前記メモリに蓄積するように制御する制御手段とを有することを特徴とする情報処理装置。
【請求項５】  ネットワークに接続する接続工程と、前記ネットワークを介して電子メールを受信するメール受信工程と、前記ネットワークを介して電子メールを送信するメール送信工程と、前記受信工程により受信した受信メールを転送するための転送先を設定する転送先設定工程と、前記受信メールのメールヘッダに文字コード（ｃｈａｒｓｅｔ）設定の記述が無い場合に前記受信メールの出力を行わずに前記転送先設定工程により設定された転送先へ送信するように制御する制御工程とを有することを特徴とする情報処理方法。
【請求項６】  ネットワークに接続する接続手段と、前記ネットワークを介して電子メールを受信するメール受信手段と、前記ネットワークを介して電子メールを送信するメール送信手段と、前記受信手段により受信した受信メールを転送するための転送先を設定する転送先設定手段と、前記受信メールのメールヘッダに文字コード（ｃｈａｒｓｅｔ）設定の記述が無い場合に前記受信メールの出力を行わずに前記転送先設定手段により設定された転送先へ送信するように制御する制御手段とを有することを特徴とする情報処理装置。
【請求項７】  ネットワークに接続する接続工程と、前記ネットワークを介して電子メールを受信するメール受信工程と、前記メール受信工程により受信した受信メールを記録媒体に出力する出力工程と、前記受信メールのメールヘッダにサブジェクトまたは文字コード（ｃｈａｒｓｅｔ）設定の記述が無い場合に前記受信メールのｆｒｏｍ：ヘッダフィールドに記述された送信元のドメイン名の国コード（トップレベルドメイン）と文字コードの対応表より出力する文字コードを設定して前記受信メールを出力するように制御する制御工程とを有することを特徴とする情報処理方法。
【請求項８】  ネットワークに接続する接続手段と、前記ネットワークを介して電子メールを受信するメール受信手段と、前記メール受信手段により受信した受信メールを記録媒体に出力する出力手段と、前記受信メールのメールヘッダにサブジェクトまたは本文の文字コード（ｃｈａｒｓｅｔ）設定の記述が無い場合に前記受信メールのｆｒｏｍ：ヘッダフィールドに記述された送信元のドメイン名の国コード（トップレベルドメイン）と文字コードの対応表より出力する文字コードを設定して前記受信メールを出力するように制御する制御手段とを有することを特徴とする情報処理装置。
【請求項９】  ネットワークに接続する接続工程と、前記ネットワークを介して電子メールを受信するメール受信工程と、前記メール受信工程により受信した受信メールをメモリに蓄積するメモリ工程と、前記受信メールを記録媒体に出力する出力工程と、前記受信メールのメールヘッダにサブジェクトまたは本文の文字コード（ｃｈａｒｓｅｔ）設定の記述が無く且つ送信元のドメイン名について国コード（トップレベルドメイン）の記述が無い場合は前記受信メールの出力を行わずに前記メモリに蓄積するように制御する制御工程とを有することを特徴とする情報処理方法。
【請求項１０】  ネットワークに接続する接続手段と、前記ネットワークを介して電子メールを受信するメール受信手段と、前記メール受信手段により受信した受信メールをメモリに蓄積するメモリ手段と、前記受信メールを記録媒体に出力する出力手段と、前記受信メールのメールヘッダにサブジェクトまたは本文の文字コード（ｃｈａｒｓｅｔ）設定の記述が無く且つ送信元のドメイン名について国コード（トップレベルドメイン）の記述が無い場合は前記受信メールの出力を行わずに前記メモリに蓄積するように制御する制御手段とを有することを特徴とする情報処理装置。
【請求項１１】  ネットワークに接続する接続工程と、前記ネットワークを介して電子メールを受信するメール受信工程と、前記ネットワークを介して電子メールを送信するメール送信工程と、前記メール受信工程により受信した受信メールの転送先を設定する転送先設定工程と、前記受信メールのメールヘッダにサブジェクトまたは本文の文字コード（ｃｈａｒｓｅｔ）設定の記述が無く且つ送信元のドメイン名について国コード（トップレベルドメイン）の記述が無い場合は前記受信メールの出力を行わずに前記転送先設定工程により設定された設定先に前記受信メールを送信するように制御する制御工程とを有することを特徴とする情報処理方法。
【請求項１２】  ネットワークに接続する接続手段と、前記ネットワークを介して電子メールを受信するメール受信手段と、前記ネットワークを介して電子メールを送信するメール送信手段と、前記メール受信手段により受信した受信メールの転送先を設定する転送先設定手段と、前記受信メールのメールヘッダにサブジェクトまたは本文の文字コード（ｃｈａｒｓｅｔ）設定の記述が無く且つ送信元のドメイン名について国コード（トップレベルドメイン）の記述が無い場合は前記受信メールの出力を行わずに前記転送先設定手段により設定された設定先に前記受信メールを送信するように制御する制御手段とを有することを特徴とする情報処理装置。
【請求項１３】  情報処理装置を制御するための制御プログラムを格納した記憶媒体であって、前記制御プログラムは、ネットワークに接続する接続モジュールと、前記ネットワークを介して電子メールを受信するメール受信モジュールと、前記受信モジュールにより受信した受信メールを記録媒体に出力する出力モジュールと、前記出力モジュールにより前記受信メールを出力する際の文字コードを設定する文字コード設定モジュールと、前記受信メールのメールヘッダに文字コード（ｃｈａｒｓｅｔ）設定の記述が無い場合に前記文字コード設定モジュールにより設定された文字コードにより前記受信メールを出力するように制御する制御モジュールとを有することを特徴とする記憶媒体。
【請求項１４】  情報処理装置を制御するための制御プログラムを格納した記憶媒体であって、前記制御プログラムは、ネットワークに接続する接続モジュールと、前記ネットワークを介して電子メールを受信するメール受信モジュールと、前記受信モジュールにより受信した受信メールをメモリに蓄積するメモリモジュールと、前記受信メールを記録媒体に出力する出力モジュールと、前記受信メールのメールヘッダに文字コード（ｃｈａｒｓｅｔ）設定の記述が無い場合に前記出力モジュールによる前記受信メールの出力を行わずに前記メモリに蓄積するように制御する制御モジュールとを有することを特徴とする記憶媒体。
【請求項１５】  情報処理装置を制御するための制御プログラムを格納した記憶媒体であって、前記制御プログラムは、ネットワークに接続する接続モジュールと、前記ネットワークを介して電子メールを受信するメール受信モジュールと、前記ネットワークを介して電子メールを送信するメール送信モジュールと、前記受信モジュールにより受信した受信メールを転送するための転送先を設定する転送先設定モジュールと、前記受信メールのメールヘッダに文字コード（ｃｈａｒｓｅｔ）設定の記述が無い場合に前記受信メールの出力を行わずに前記転送先設定モジュールにより設定された転送先へ送信するように制御する制御モジュールとを有することを特徴とする記憶媒体。
【請求項１６】  情報処理装置を制御するための制御プログラムを格納した記憶媒体であって、前記制御プログラムは、ネットワークに接続する接続モジュールと、前記ネットワークを介して電子メールを受信するメール受信モジュールと、前記メール受信モジュールにより受信した受信メールを記録媒体に出力する出力モジュールと、前記受信メールのメールヘッダにサブジェクトまたは本文の文字コード（ｃｈａｒｓｅｔ）設定の記述が無い場合に前記受信メールのｆｒｏｍ：ヘッダフィールドに記述された送信元のドメイン名の国コード（トップレベルドメイン）と文字コードの対応表より出力する文字コードを設定して前記受信メールを出力するように制御する制御モジュールとを有することを特徴とする記憶媒体。
【請求項１７】  情報処理装置を制御するための制御プログラムを格納した記憶媒体であって、前記制御プログラムは、ネットワークに接続する接続モジュールと、前記ネットワークを介して電子メールを受信するメール受信モジュールと、前記メール受信モジュールにより受信した受信メールをメモリに蓄積するメモリモジュールと、前記受信メールを記録媒体に出力する出力モジュールと、前記受信メールのメールヘッダにサブジェクトまたは本文の文字コード（ｃｈａｒｓｅｔ）設定の記述が無く且つ送信元のドメイン名について国コード（トップレベルドメイン）の記述が無い場合は前記受信メールの出力を行わずに前記メモリに蓄積するように制御する制御モジュールとを有することを特徴とする記憶媒体。
【請求項１８】  情報処理装置を制御するための制御プログラムを格納した記憶媒体であって、前記制御プログラムは、ネットワークに接続する接続モジュールと、前記ネットワークを介して電子メールを受信するメール受信モジュールと、前記ネットワークを介して電子メールを送信するメール送信モジュールと、前記メール受信モジュールにより受信した受信メールの転送先を設定する転送先設定モジュールと、前記受信メールのメールヘッダにサブジェクトまたは本文の文字コード（ｃｈａｒｓｅｔ）設定の記述が無く且つ送信元のドメイン名について国コード（トップレベルドメイン）の記述が無い場合は前記受信メールの出力を行わずに前記転送先設定モジュールにより設定された設定先に前記受信メールを送信するように制御する制御モジュールとを有することを特徴とする記憶媒体。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
また、上記第１の目的を達成するために請求項２に記載の情報処理装置は、ネットワークに接続する接続手段と、前記ネットワークを介して電子メールを受信するメール受信手段と、前記受信手段により受信した受信メールを記録媒体に出力する出力手段と、前記出力手段により前記受信メールを出力する際の文字コードを設定する文字コード設定手段と、前記受信メールのメールヘッダに文字コード（ｃｈａｒｓｅｔ）設定の記述が無い場合に前記文字コード設定手段により設定された文字コードにより前記受信メールを出力するように制御する制御手段とを有することを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
また、上記第１の目的を達成するために請求項３に記載の情報処理方法は、ネットワークに接続する接続工程と、前記ネットワークを介して電子メールを受信するメール受信工程と、前記受信工程により受信した受信メールをメモリに蓄積するメモリ工程と、前記受信メールを記録媒体に出力する出力工程と、前記受信メールのメールヘッダに文字コード（ｃｈａｒｓｅｔ）設定の記述が無い場合に前記出力工程による前記受信メールの出力を行わずに前記メモリに蓄積するように制御する制御工程とを有することを特徴とする。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
また、上記第１の目的を達成するために請求項４に記載の情報処理装置は、ネットワークに接続する接続手段と、前記ネットワークを介して電子メールを受信するメール受信手段と、前記受信手段により受信した受信メールをメモリに蓄積するメモリ手段と、前記受信メールを記録媒体に出力する出力手段と、前記受信メールのメールヘッダに文字コード（ｃｈａｒｓｅｔ）設定の記述が無い場合に前記出力手段による前記受信メールの出力を行わずに前記メモリに蓄積するように制御する制御手段とを有することを特徴とする。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】変更
【補正の内容】
【００２６】
また、上記第１の目的を達成するために請求項５に記載の情報処理方法は、ネットワークに接続する接続工程と、前記ネットワークを介して電子メールを受信するメール受信工程と、前記ネットワークを介して電子メールを送信するメール送信工程と、前記受信工程により受信した受信メールを転送するための転送先を設定する転送先設定工程と、前記受信メールのメールヘッダに文字コード（ｃｈａｒｓｅｔ）設定の記述が無い場合に前記受信メールの出力を行わずに前記転送先設定工程により設定された転送先へ送信するように制御する制御工程とを有することを特徴とする。
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】変更
【補正の内容】
【００３０】
また、上記第１の目的を達成するために請求項６に記載の情報処理装置は、ネットワークに接続する接続手段と、前記ネットワークを介して電子メールを受信するメール受信手段と、前記ネットワークを介して電子メールを送信するメール送信手段と、前記受信手段により受信した受信メールを転送するための転送先を設定する転送先設定手段と、前記受信メールのメールヘッダに文字コード（ｃｈａｒｓｅｔ）設定の記述が無い場合に前記受信メールの出力を行わずに前記転送先設定手段により設定された転送先へ送信するように制御する制御手段とを有することを特徴とする。
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】変更
【補正の内容】
【００３５】
また、上記第１の目的を達成するために請求項７に記載の情報処理方法は、ネットワークに接続する接続工程と、前記ネットワークを介して電子メールを受信するメール受信工程と、前記メール受信工程により受信した受信メールを記録媒体に出力する出力工程と、前記受信メールのメールヘッダにサブジェクトまたは文字コード（ｃｈａｒｓｅｔ）設定の記述が無い場合に前記受信メールのｆｒｏｍ：ヘッダフィールドに記述された送信元のドメイン名の国コード（トップレベルドメイン）と文字コードの対応表より出力する文字コードを設定して前記受信メールを出力するように制御する制御工程とを有することを特徴とする。
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】変更
【補正の内容】
【００３９】
また、上記第１の目的を達成するために請求項８に記載の情報処理装置は、ネットワークに接続する接続手段と、前記ネットワークを介して電子メールを受信するメール受信手段と、前記メール受信手段により受信した受信メールを記録媒体に出力する出力手段と、前記受信メールのメールヘッダにサブジェクトまたは本文の文字コード（ｃｈａｒｓｅｔ）設定の記述が無い場合に前記受信メールのｆｒｏｍ：ヘッダフィールドに記述された送信元のドメイン名の国コード（トップレベルドメイン）と文字コードの対応表より出力する文字コードを設定して前記受信メールを出力するように制御する制御手段とを有することを特徴とする。
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】変更
【補正の内容】
【００４４】
また、上記第１の目的を達成するために請求項９に記載の情報処理方法は、ネットワークに接続する接続工程と、前記ネットワークを介して電子メールを受信するメール受信工程と、前記メール受信工程により受信した受信メールをメモリに蓄積するメモリ工程と、前記受信メールを記録媒体に出力する出力工程と、前記受信メールのメールヘッダにサブジェクトまたは本文の文字コード（ｃｈａｒｓｅｔ）設定の記述が無く且つ送信元のドメイン名について国コード（トップレベルドメイン）の記述が無い場合は前記受信メールの出力を行わずに前記メモリに蓄積するように制御する制御工程とを有することを特徴とする。
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】変更
【補正の内容】
【００４８】
また、上記第１の目的を達成するために請求項１０に記載の情報処理装置は、ネットワークに接続する接続手段と、前記ネットワークを介して電子メールを受信するメール受信手段と、前記メール受信手段により受信した受信メールをメモリに蓄積するメモリ手段と、前記受信メールを記録媒体に出力する出力手段と、前記受信メールのメールヘッダにサブジェクトまたは本文の文字コード（ｃｈａｒｓｅｔ）設定の記述が無く且つ送信元のドメイン名について国コード（トップレベルドメイン）の記述が無い場合は前記受信メールの出力を行わずに前記メモリに蓄積するように制御する制御手段とを有することを特徴とする。
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】００５３
【補正方法】変更
【補正の内容】
【００５３】
また、上記第１の目的を達成するために請求項１１に記載の情報処理方法は、ネットワークに接続する接続工程と、前記ネットワークを介して電子メールを受信するメール受信工程と、前記ネットワークを介して電子メールを送信するメール送信工程と、前記メール受信工程により受信した受信メールの転送先を設定する転送先設定工程と、前記受信メールのメールヘッダにサブジェクトまたは本文の文字コード（ｃｈａｒｓｅｔ）設定の記述が無く且つ送信元のドメイン名について国コード（トップレベルドメイン）の記述が無い場合は前記受信メールの出力を行わずに前記転送先設定工程により設定された設定先に前記受信メールを送信するように制御する制御工程とを有することを特徴とする。
【手続補正４７】
【補正対象書類名】明細書
【補正対象項目名】００５４
【補正方法】削除
【補正の内容】
【手続補正４８】
【補正対象書類名】明細書
【補正対象項目名】００５５
【補正方法】削除
【補正の内容】
【手続補正４９】
【補正対象書類名】明細書
【補正対象項目名】００５６
【補正方法】削除
【補正の内容】
【手続補正５０】
【補正対象書類名】明細書
【補正対象項目名】００５７
【補正方法】変更
【補正の内容】
【００５７】
また、上記第１の目的を達成するために請求項１２に記載の情報処理装置は、ネットワークに接続する接続手段と、前記ネットワークを介して電子メールを受信するメール受信手段と、前記ネットワークを介して電子メールを送信するメール送信手段と、前記メール受信手段により受信した受信メールの転送先を設定する転送先設定手段と、前記受信メールのメールヘッダにサブジェクトまたは本文の文字コード（ｃｈａｒｓｅｔ）設定の記述が無く且つ送信元のドメイン名について国コード（トップレベルドメイン）の記述が無い場合は前記受信メールの出力を行わずに前記転送先設定手段により設定された設定先に前記受信メールを送信するように制御する制御手段とを有することを特徴とする。
【手続補正５１】
【補正対象書類名】明細書
【補正対象項目名】００５８
【補正方法】削除
【補正の内容】
【手続補正５２】
【補正対象書類名】明細書
【補正対象項目名】００５９
【補正方法】削除
【補正の内容】
【手続補正５３】
【補正対象書類名】明細書
【補正対象項目名】００６０
【補正方法】削除
【補正の内容】
【手続補正５４】
【補正対象書類名】明細書
【補正対象項目名】００６１
【補正方法】削除
【補正の内容】
【手続補正５５】
【補正対象書類名】明細書
【補正対象項目名】００６２
【補正方法】変更
【補正の内容】
【００６２】
また、上記第２の目的を達成するために請求項１３に記載の記憶媒体は、情報処理装置を制御するための制御プログラムを格納した記憶媒体であって、前記制御プログラムは、ネットワークに接続する接続モジュールと、前記ネットワークを介して電子メールを受信するメール受信モジュールと、前記受信モジュールにより受信した受信メールを記録媒体に出力する出力モジュールと、前記出力モジュールにより前記受信メールを出力する際の文字コードを設定する文字コード設定モジュールと、前記受信メールのメールヘッダに文字コード（ｃｈａｒｓｅｔ）設定の記述が無い場合に前記文字コード設定モジュールにより設定された文字コードにより前記受信メールを出力するように制御する制御モジュールとを有することを特徴とする。
【手続補正５６】
【補正対象書類名】明細書
【補正対象項目名】００６３
【補正方法】削除
【補正の内容】
【手続補正５７】
【補正対象書類名】明細書
【補正対象項目名】００６４
【補正方法】削除
【補正の内容】
【手続補正５８】
【補正対象書類名】明細書
【補正対象項目名】００６５
【補正方法】削除
【補正の内容】
【手続補正５９】
【補正対象書類名】明細書
【補正対象項目名】００６６
【補正方法】削除
【補正の内容】
【手続補正６０】
【補正対象書類名】明細書
【補正対象項目名】００６７
【補正方法】変更
【補正の内容】
【００６７】
また、上記第２の目的を達成するために請求項１４に記載の記憶媒体は、情報処理装置を制御するための制御プログラムを格納した記憶媒体であって、前記制御プログラムは、ネットワークに接続する接続モジュールと、前記ネットワークを介して電子メールを受信するメール受信モジュールと、前記受信モジュールにより受信した受信メールをメモリに蓄積するメモリモジュールと、前記受信メールを記録媒体に出力する出力モジュールと、前記受信メールのメールヘッダに文字コード（ｃｈａｒｓｅｔ）設定の記述が無い場合に前記出力モジュールによる前記受信メールの出力を行わずに前記メモリに蓄積するように制御する制御モジュールとを有することを特徴とする。
【手続補正６１】
【補正対象書類名】明細書
【補正対象項目名】００６８
【補正方法】削除
【補正の内容】
【手続補正６２】
【補正対象書類名】明細書
【補正対象項目名】００６９
【補正方法】削除
【補正の内容】
【手続補正６３】
【補正対象書類名】明細書
【補正対象項目名】００７０
【補正方法】削除
【補正の内容】
【手続補正６４】
【補正対象書類名】明細書
【補正対象項目名】００７１
【補正方法】削除
【補正の内容】
【手続補正６５】
【補正対象書類名】明細書
【補正対象項目名】００７２
【補正方法】変更
【補正の内容】
【００７２】
また、上記第２の目的を達成するために請求項１５に記載の記憶媒体は、情報処理装置を制御するための制御プログラムを格納した記憶媒体であって、前記制御プログラムは、ネットワークに接続する接続モジュールと、前記ネットワークを介して電子メールを受信するメール受信モジュールと、前記ネットワークを介して電子メールを送信するメール送信モジュールと、前記受信モジュールにより受信した受信メールを転送するための転送先を設定する転送先設定モジュールと、前記受信メールのメールヘッダに文字コード（ｃｈａｒｓｅｔ）設定の記述が無い場合に前記受信メールの出力を行わずに前記転送先設定モジュールにより設定された転送先へ送信するように制御する制御モジュールとを有することを特徴とする。
【手続補正６６】
【補正対象書類名】明細書
【補正対象項目名】００７３
【補正方法】削除
【補正の内容】
【手続補正６７】
【補正対象書類名】明細書
【補正対象項目名】００７４
【補正方法】削除
【補正の内容】
【手続補正６８】
【補正対象書類名】明細書
【補正対象項目名】００７５
【補正方法】削除
【補正の内容】
【手続補正６９】
【補正対象書類名】明細書
【補正対象項目名】００７６
【補正方法】削除
【補正の内容】
【手続補正７０】
【補正対象書類名】明細書
【補正対象項目名】００７７
【補正方法】変更
【補正の内容】
【００７７】
また、上記第２の目的を達成するために請求項１６に記載の記憶媒体は、情報処理装置を制御するための制御プログラムを格納した記憶媒体であって、前記制御プログラムは、ネットワークに接続する接続モジュールと、前記ネットワークを介して電子メールを受信するメール受信モジュールと、前記メール受信モジュールにより受信した受信メールを記録媒体に出力する出力モジュールと、前記受信メールのメールヘッダにサブジェクトまたは本文の文字コード（ｃｈａｒｓｅｔ）設定の記述が無い場合に前記受信メールのｆｒｏｍ：ヘッダフィールドに記述された送信元のドメイン名の国コード（トップレベルドメイン）と文字コードの対応表より出力する文字コードを設定して前記受信メールを出力するように制御する制御モジュールとを有することを特徴とする。
【手続補正７１】
【補正対象書類名】明細書
【補正対象項目名】００７８
【補正方法】削除
【補正の内容】
【手続補正７２】
【補正対象書類名】明細書
【補正対象項目名】００７９
【補正方法】削除
【補正の内容】
【手続補正７３】
【補正対象書類名】明細書
【補正対象項目名】００８０
【補正方法】削除
【補正の内容】
【手続補正７４】
【補正対象書類名】明細書
【補正対象項目名】００８１
【補正方法】削除
【補正の内容】
【手続補正７５】
【補正対象書類名】明細書
【補正対象項目名】００８２
【補正方法】変更
【補正の内容】
【００８２】
また、上記第２の目的を達成するために請求項１７に記載の記憶媒体は、情報処理装置を制御するための制御プログラムを格納した記憶媒体であって、前記制御プログラムは、ネットワークに接続する接続モジュールと、前記ネットワークを介して電子メールを受信するメール受信モジュールと、前記メール受信モジュールにより受信した受信メールをメモリに蓄積するメモリモジュールと、前記受信メールを記録媒体に出力する出力モジュールと、前記受信メールのメールヘッダにサブジェクトまたは本文の文字コード（ｃｈａｒｓｅｔ）設定の記述が無く且つ送信元のドメイン名について国コード（トップレベルドメイン）の記述が無い場合は前記受信メールの出力を行わずに前記メモリに蓄積するように制御する制御モジュールとを有することを特徴とする。
【手続補正７６】
【補正対象書類名】明細書
【補正対象項目名】００８３
【補正方法】削除
【補正の内容】
【手続補正７７】
【補正対象書類名】明細書
【補正対象項目名】００８４
【補正方法】削除
【補正の内容】
【手続補正７８】
【補正対象書類名】明細書
【補正対象項目名】００８５
【補正方法】削除
【補正の内容】
【手続補正７９】
【補正対象書類名】明細書
【補正対象項目名】００８６
【補正方法】削除
【補正の内容】
【手続補正８０】
【補正対象書類名】明細書
【補正対象項目名】００８７
【補正方法】変更
【補正の内容】
【００８７】
また、上記第２の目的を達成するために請求項１８に記載の記憶媒体は、情報処理装置を制御するための制御プログラムを格納した記憶媒体であって、前記制御プログラムは、ネットワークに接続する接続モジュールと、前記ネットワークを介して電子メールを受信するメール受信モジュールと、前記ネットワークを介して電子メールを送信するメール送信モジュールと、前記メール受信モジュールにより受信した受信メールの転送先を設定する転送先設定モジュールと、前記受信メールのメールヘッダにサブジェクトまたは本文の文字コード（ｃｈａｒｓｅｔ）設定の記述が無く且つ送信元のドメイン名について国コード（トップレベルドメイン）の記述が無い場合は前記受信メールの出力を行わずに前記転送先設定モジュールにより設定された設定先に前記受信メールを送信するように制御する制御モジュールとを有することを特徴とする。
【手続補正８１】
【補正対象書類名】明細書
【補正対象項目名】００８８
【補正方法】削除
【補正の内容】
【手続補正８２】
【補正対象書類名】明細書
【補正対象項目名】００８９
【補正方法】削除
【補正の内容】
【手続補正８３】
【補正対象書類名】明細書
【補正対象項目名】００９０
【補正方法】削除
【補正の内容】
【手続補正８４】
【補正対象書類名】明細書
【補正対象項目名】００９１
【補正方法】削除
【補正の内容】